(57)【要約】      （修正有）【課題】無線電波の受信感度の低下を防止でき、生産性も向上できる電子時計を提供する。【解決手段】電子時計１は、外装ケース２０と、裏蓋２２と、外装ケース２０内に配置される電波受信用のアンテナ１００と、を有し、外装ケース２０と裏蓋２２とは、アルミニウムが３．５０質量％以上、４．５０質量％以下、バナジウムが２０．００質量％以上、２３．００質量％以下、残部はチタンおよび不純物からなるチタン合金で形成される。【選択図】図２
2017201296.tif 000002
【特許請求の範囲】
【請求項１】
外装ケースと、裏蓋と、前記外装ケース内に配置される電波受信用のアンテナと、を有し、
前記外装ケースと前記裏蓋とは、
アルミニウムが３．５０質量％以上、４．５０質量％以下、バナジウムが２０．００質量％以上、２３．００質量％以下、残部はチタンおよび不純物からなるチタン合金で形成されることを特徴とする電子時計。
【請求項２】
外装ケースと、裏蓋と、前記外装ケース内に配置される電波受信用のアンテナと、を有し、
前記裏蓋は、
アルミニウムが３．５０質量％以上、４．５０質量％以下、バナジウムが２０．００質量％以上、２３．００質量％以下、残部はチタンおよび不純物からなるチタン合金で形成されることを特徴とする電子時計。
【請求項３】
外装ケースと、裏蓋と、前記外装ケース内に配置される電波受信用のアンテナと、を有し、
前記外装ケースは、
アルミニウムが３．５０質量％以上、４．５０質量％以下、バナジウムが２０．００質量％以上、２３．００質量％以下、残部はチタンおよび不純物からなるチタン合金で形成されることを特徴とする電子時計。
【請求項４】
請求項１または請求項２に記載の電子時計において、
前記アンテナは、アンテナコアと、前記アンテナコアに巻回されたコイルとを備え、
前記アンテナコアと前記裏蓋との間隔寸法は、2.05mm以下、1.55mm以上に設定されていることを特徴とする電子時計。
【請求項５】
請求項１または請求項３に記載の電子時計において、
前記アンテナは、アンテナコアと、前記アンテナコアに巻回されたコイルとを備え、
前記アンテナコアと前記外装ケースとの間隔寸法は、1.10mm以下、0.50mm以上に設定されていることを特徴とする電子時計。
【発明の詳細な説明】
【技術分野】
【０００１】
本発明は、標準電波などの無線電波を受信するアンテナを内蔵する電子時計に関する。
【背景技術】
【０００２】
従来、標準電波をアンテナにて受信して、時刻修正等の処理を実施する電子時計が知られている。
このような電子時計において、ケースや裏蓋の材料として、JIS60種チタン合金を用いたものが知られている（特許文献１参照）。
【先行技術文献】
【特許文献】
【０００３】
【特許文献１】特開２００９−６５５２３号公報
【発明の概要】
【発明が解決しようとする課題】
【０００４】
ところで、JIS60種チタン合金は、加工がし難い材料であり、時計ケースや裏蓋をJIS60種チタン合金で製造する場合には、切削加工が必要となり、生産性が低いため、実用化が困難であるという課題があった。
【０００５】
本発明の目的は、無線電波の受信感度の低下を防止でき、生産性も向上できる電子時計を提供することにある。
【課題を解決するための手段】
【０００６】
本発明の電子時計は、外装ケースと、裏蓋と、前記外装ケース内に配置される電波受信用のアンテナと、を有し、前記外装ケースと前記裏蓋とは、アルミニウムが３．５０質量％以上、４．５０質量％以下、バナジウムが２０．００質量％以上、２３．００質量％以下、残部はチタンおよび不純物からなるチタン合金で形成されることを特徴とする。
【０００７】
ここで、不純物とは、例えば、製造過程で入ってしまう不可避不純物等であり、具体的には、Ｎ（窒素）、Ｃ（炭素）、Ｈ（水素）、Ｆｅ（鉄）、Ｏ（酸素）などである。
本発明によれば、外装ケースおよび裏蓋を、Ａｌ（アルミニウム）：３．５０質量％以上、４．５０質量％以下、Ｖ（バナジウム）：２０．００質量％以上、２３．００質量％以下、残部はＴｉ（チタン）および不純物からなるチタン合金（いわゆるJIS80種チタン合金）で形成したので、冷間鍛造などで外装ケースや裏蓋を製造することができる。このため、JIS60種チタン合金を用いる場合に比べて、外装ケースや裏蓋の生産性を向上でき、時計の薄型化や小型化の際に重要となる外装ケースおよび裏蓋の寸法精度も向上できる。
また、JIS80種チタン合金は、JIS60種チタン合金と同様に、純Ｔｉ（チタン）や、ＳＵＳ３０４、ＳＵＳ３１６等のステンレス鋼に比べて比抵抗が高いため、渦電流による損失を低減できる。このため、受信感度を維持したまま、外装ケースや裏蓋とアンテナとの距離を小さくでき、電子時計の薄型化やケースの小型化を実現できる。
【０００８】
本発明の電子時計は、外装ケースと、裏蓋と、前記外装ケース内に配置される電波受信用のアンテナと、を有し、前記裏蓋は、アルミニウムが３．５０質量％以上、４．５０質量％以下、バナジウムが２０．００質量％以上、２３．００質量％以下、残部はチタンおよび不純物からなるチタン合金で形成されることを特徴とする。
【０００９】
本発明によれば、裏蓋をいわゆるJIS80種チタン合金で形成したので、冷間鍛造などで裏蓋を製造することができる。このため、JIS60種チタン合金を用いる場合に比べて、裏蓋の生産性を向上でき、時計の薄型化の際に重要となる裏蓋の寸法精度も向上できる。
また、JIS80種チタン合金は、JIS60種チタン合金と同様に、純Ｔｉ（チタン）や、ＳＵＳ３０４、ＳＵＳ３１６等のステンレス鋼に比べて比抵抗が高いため、渦電流による損失を低減できる。このため、受信感度を維持したまま、裏蓋とアンテナとの距離を小さくでき、電子時計やケースの薄型化を実現できる。なお、外装ケースは、純Ｔｉ等のJIS80種チタン以外の材質で形成される。
【００１０】
本発明の電子時計は、外装ケースと、裏蓋と、前記外装ケース内に配置される電波受信用のアンテナと、を有し、前記外装ケースは、アルミニウムが３．５０質量％以上、４．５０質量％以下、バナジウムが２０．００質量％以上、２３．００質量％以下、残部はチタンおよび不純物からなるチタン合金で形成されることを特徴とする。
【００１１】
本発明によれば、外装ケースをいわゆるJIS80種チタン合金で形成したので、冷間鍛造などで外装ケースを製造することができる。このため、JIS60種チタン合金を用いる場合に比べて、外装ケースの生産性を向上でき、時計の薄型化や小型化の際に重要となる外装ケースの寸法精度も向上できる。
また、JIS80種チタン合金は、JIS60種チタン合金と同様に、純Ｔｉ（チタン）や、ＳＵＳ３０４、ＳＵＳ３１６等のステンレス鋼に比べて比抵抗が高いため、渦電流による損失を低減できる。このため、受信感度を維持したまま、外装ケースとアンテナとの距離を小さくでき、電子時計やケースの小型化を実現できる。なお、裏蓋は、純Ｔｉ等のJIS80種チタン以外の材質で形成される。
【００１２】
本発明の電子時計において、前記アンテナは、アンテナコアと、前記アンテナコアに巻回されたコイルとを備え、前記アンテナコアと前記裏蓋との間隔寸法は、2.05mm以下、1.55mm以上に設定されていることが好ましい。
【００１３】
本発明によれば、アンテナコアと裏蓋との間隔寸法を2.05mm以下に小さくできるため、電子時計を薄型化できる。また、間隔寸法を1.55mm以上としているので、アンテナを含むモジュールと裏蓋との間も、最小限の隙間寸法（例えば0.28mm）を確保できる。
【００１４】
本発明の電子時計において、前記アンテナは、アンテナコアと、前記アンテナコアに巻回されたコイルとを備え、前記アンテナコアと前記外装ケースとの間隔寸法は、1.10mm以下、0.50mm以上に設定されていることが好ましい。
【００１５】
本発明によれば、アンテナコアと外装ケースとの間隔寸法、つまりアンテナコアと外装ケースの内面とが最も近接する部分の間隔寸法を1.10mm以下と小さくできるため、ケースサイズを小さくでき、女性用の電子時計としても実現可能である。また、アンテナコアと外装ケースとの間隔寸法を0.50mm以上としているので、コイルの巻数も確保できる。
【図面の簡単な説明】
【００１６】
【図１】本発明の実施形態に係る電子時計を示す平面図。
【図２】前記実施形態の電子時計の外装ケースおよび裏蓋とアンテナとの位置関係を示す断面図。
【図３】アンテナおよび裏蓋の間隔寸法と、３種類の標準電波を受信した際の受信感度との関係を示すグラフである。
【図４】アンテナおよび外装ケースの間隔寸法と、標準電波を受信した際の受信感度との関係を示すグラフである。
【図５】外装ケースおよび裏蓋の材質と、標準電波を受信した際の受信感度との関係を示すグラフである。
【発明を実施するための形態】
【００１７】
以下、本発明の実施形態を図面に基づいて説明する。
本実施形態の電子時計１は、図１に示すように、時針１１，分針１２，秒針１３および文字板１４を備えた指針式腕時計（アナログ時計）である。この電子時計１は、時刻情報を含む無線電波としての長波標準電波を受信し、受信した時刻情報に基づいて時針１１，分針１２，秒針１３の指示位置を補正する。
【００１８】
電子時計１は、さらに、標準電波を受信するアンテナ１００および前記時針１１，分針１２，秒針１３の駆動を制御する各種構成が組み込まれたモジュール（ムーブメント）１０と、前記モジュール１０等を内部に収納する外装ケース２０と、時刻合わせ等を行うリュウズ２と、受信動作などを行うボタン３，４とを備える。
文字板１４は、例えば合成樹脂やガラス等の非導電性素材から形成されていることが好ましく、これにより、後述するカバーガラス２４側（時計表面側）から進入する標準電波が阻害されず、アンテナ１００にて良好に受信させることが可能となる。
【００１９】
外装ケース２０は、図２にも示すように、略円筒状のケース本体２１と、ケース本体２１の下面側の開口を閉塞する裏蓋２２と、ケース本体２１の上面側に嵌合構造により取り付けられるリング状のベゼル２３と、ベゼル２３の内周面に取り付けられるカバーガラス２４とを備える。
ケース本体２１および裏蓋２２は、後述するようにJIS80種チタン合金で製造されている。外装ケース２０のベゼル２３は、ケース本体２１と同じJIS80種チタン合金で製造してもよいが、本実施形態では、セラミックスで構成されている。電子時計１をカバーガラス２４側から見た平面視で、ベゼル２３がアンテナ１００と重なる場合には、ベゼル２３をセラミックスで構成することで、ベゼル２３が電波受信に影響しないので、受信感度の低下を防止できる。
【００２０】
外装ケース２０内には、前記モジュール１０と、モジュール１０の表側に配置されるソーラーパネル４０と、ソーラーパネル４０の表側に配置される透光性の文字板１４と、文字板１４の外周部分の表側に配置されるダイヤルリング２５とが配置されている。
なお、モジュール１０は、前記アンテナ１００の他、地板、回路基板、ステッピングモーター、駆動輪列等が組み込まれた一般的な構成を採用しているため、以下では説明を省略する。
【００２１】
電波受信用のアンテナ１００は、図１に示すように、バーアンテナであり、外装ケース２０内において時計の９時位置に配置されている。
アンテナ１００は、アンテナコア１１０と、アンテナコア１１０に巻回されるコイル１２０とにより構成されている。
アンテナコア１１０は、コイル１２０が巻回されるコイル巻部１１１と、コイル巻部１１１の両端側から延出するリード部１１２とを備え、長手状に形成されている。ここで、コイル巻部１１１は直線状に、リード部１１２は円弧状に形成されている。このアンテナコア１１０は、例えば、磁性箔材としてのコバルト系のアモルファス箔（例；Ｃｏ５０ｗｔ％以上のアモルファス箔）を型で打ち抜くか、エッチングで成形したものを１０〜３０枚程接着して重ね合わせ、焼鈍などの熱処理を行って磁気特性を安定化させたものである。
そして、アンテナコア１１０は、図２に示すように、平板状のアモルファス箔を、電子時計１の厚さ方向（カバーガラス２４および裏蓋２２を結ぶ方向）に積層して構成されている。なお、アンテナコア１１０としては、積層アモルファス箔に限定されず、フェライトを用いてもよく、この場合には、型などで成形し、熱処理して製造すればよい。
【００２２】
コイル１２０は、長波標準電波（４０〜７７．５ｋＨｚ）を受信する場合、１０ｍＨ程度のインダクタンス値が必要となる。このため、本実施形態では、コイル１２０として直径０．１μｍ程度のウレメット線を数百ターンほど巻いて構成している。
【００２３】
外装ケース２０のケース本体２１と、裏蓋２２とは、Ａｌ（アルミニウム）：３．５０質量％以上、４．５０質量％以下、Ｖ（バナジウム）：２０．００質量％以上、２３．００質量％以下、残部はＴｉ（チタン）および不純物からなるチタン合金（以下、JIS80種チタン合金という）で形成されている。
本実施形態のJIS80種チタン合金は、不純物として、Ｎ（窒素）：０．０５質量％以下、Ｃ（炭素）：０．１０質量％以下、Ｈ（水素）：０．０１５０質量％以下、Ｆｅ（鉄）：１．００質量％以下、Ｏ（酸素）：０．２５質量％以下の微量元素が含まれている。これらの微量元素は、意図的に添加しているものではなく、製造過程上、含まれる不可避不純物である。このため、製造過程を変更することなどにより、これらの元素（Ｎ，Ｃ，Ｈ，Ｆｅ，Ｏ）の全部あるいは一部が含まれないJIS80種チタン合金を用いてもよい。したがって、本実施形態のJIS80種チタン合金において、Ｎ，Ｃ，Ｈ，Ｆｅ，Ｏは、含まれていてもいなくてもよい任意成分である。
JIS80種チタン合金は、冷間加工性に優れており、冷間鍛造によってケース本体２１や裏蓋２２を製造することが可能である。したがって、切削加工でケース本体２１や裏蓋２２を製造する必要があるJIS60種チタン合金を用いた場合に比べて、生産性を向上できる。
【００２４】
図３は、アンテナ１００および裏蓋２２の間隔寸法Ｈ１と、３種類の標準電波を受信した際の受信感度との関係の実験データである。図３では、ＤＣＦ７７（ドイツの標準電波）、ＢＰＣ（中華人民共和国の標準電波）、ＪＪＹ６０（日本の標準電波）の３種類の標準電波１〜３で実験している。また、実験に用いた外装ケース２０のサイズは、縦寸法（ケース足の先を含む全長）が36mm程度、横寸法が28mm程度、厚さ寸法が9mm程度である。
本実験例では、裏蓋２２とモジュール１０との隙間寸法Ｈ２を変化させ、モジュール１０に組み込まれたアンテナ１００と裏蓋２２との間隔寸法Ｈ１を変化させている。
図３における縦軸は、受信感度を示し、下にいくほど受信感度が向上していることを示す。
横軸のＡは、ケース本体２１および裏蓋２２をＴｉ（純チタン）で製造し、隙間寸法Ｈ２を0.68mm（間隔寸法Ｈ１は2.05mm）に設定した比較例Ａの受信感度を示す。
横軸のＢは、ケース本体２１および裏蓋２２をJIS80種チタン合金で製造し、隙間寸法Ｈ２を0.68mm（間隔寸法Ｈ１は2.05mm）に設定した実施例Ｂの受信感度を示す。
横軸のＣは、ケース本体２１および裏蓋２２をJIS80種チタン合金で製造し、隙間寸法Ｈ２を0.48mm（間隔寸法Ｈ１は1.85mm）に設定した実施例Ｃの受信感度を示す。
横軸のＤは、ケース本体２１および裏蓋２２をJIS80種チタン合金で製造し、隙間寸法Ｈ２を0.28mm（間隔寸法Ｈ１は1.65mm）に設定した実施例Ｄの受信感度を示す。
【００２５】
Ｔｉ（純チタン）は、比抵抗が55×10-8Ωｍであり、渦電流が発生しやすい。このため、アンテナ１００をケース本体２１や裏蓋２２と離して配置する必要があり、図３に示すように、比較例Ａでは間隔寸法Ｈ１を2.05mmと大きく離すことで、製品として必要な受信感度を確保できるようにしている。
一方、実施例Ｂは、間隔寸法Ｈ１は、比較例Ａと同じ2.05mmであるが、ケース本体２１や裏蓋２２を、比抵抗が148×10-8Ωｍと高いJIS80種チタン合金で製造したので、渦電流による損失も軽減でき、比較例Ａに比べて各標準電波とも受信感度が向上している。
実施例Ｃは、実施例Ｂに対して間隔寸法Ｈ１を1.85mmと小さくしたものであり、実施例Ｄは、間隔寸法Ｈ１を1.65mmとさらに小さくしたものである。図３に示すように、実施例Ｃ，Ｄにおいても、各標準電波の受信感度は、実施例Ｂと同程度に維持できている。すなわち、アンテナ１００と裏蓋２２との間隔寸法が小さくなっても、JIS80種チタン合金であれば渦電流は発生しにくいため、受信感度は、比較例Ａに比べて向上した値のまま、ほぼ一定に維持できる。
したがって、本実施例のケースサイズの外装ケース２０を用いた場合、間隔寸法Ｈ１は、2.05mm以下、1.65mm以上に設定すればよい。
【００２６】
なお、外装ケース２０の体積が小さいほど、前記渦電流の影響も小さくなる。このため、さらにケースサイズが小さい場合には、裏蓋２２との間隔寸法Ｈ１の下限値をより小さくできる。
また、間隔寸法Ｈ１に関しては、その電子時計１に求められる防水性能（例えば１０気圧防水など）に応じて、最小限必要な寸法が設定される。すなわち、間隔寸法Ｈ１としては、水圧によって裏蓋２２が外装ケース２０の内側に凹んでもモジュール１０に当たらない寸法を確保する必要がある。
したがって、間隔寸法Ｈ１の下限値は、渦電流の影響と、防水性能の影響とを考慮して設定すればよく、例えば、女性用の小型の電子時計１の場合、間隔寸法Ｈ１の下限値は1.55mm程度まで小さくできる。
【００２７】
図４は、アンテナ１００およびケース本体２１の間隔寸法Ｗ１と、標準電波を受信した際の受信感度との関係の実験データである。図４の横軸で示す間隔寸法Ｗ１は、アンテナコア１１０と外装ケース２０の内面とが最も近接する部分の間隔寸法であり、本実施形態では、アンテナコア１１０のリード部１１２と、外装ケース２０の内面との間隔寸法である。
実施例Ｅは、アンテナ１００およびケース本体２１の間隔寸法Ｗ１が、0.50mm、0.90mm、1.10mmに設定された３種類のケース本体２１をJIS80種チタン合金で製造した場合の実験データである。比較例Ｆは、前記間隔寸法Ｗ１が、0.50mm、0.90mm、1.10mmに設定された３種類のケース本体２１をＴｉ（純チタン）で製造した場合の実験データである。
【００２８】
図４における縦軸は、図３と同じく受信感度を示し、下にいくほど受信感度が向上していることを示す。
図４に示すように、間隔寸法Ｗ１が0.50mm、0.90mm、1.10mmのいずれの場合でも、JIS80種チタン合金でケース本体２１や裏蓋２２を製造した実施例Ｅは、渦電流が発生し難いため、比較例Ｆに比べて受信感度が向上している。実施例Ｅおよび比較例Ｆのいずれにおいても、間隔寸法Ｗ１が大きくなるほど、受信感度が向上する。また、実施例Ｅによれば、間隔寸法Ｗ１が少なくとも0.50mm以上であれば、比較例Ｆで間隔寸法Ｗ１を1.10mmとした場合よりも感度を向上できる。したがって、間隔寸法Ｗ１は、0.50mm以上に設定することが好ましい。
また、間隔寸法Ｗ１が大きくなれば、ケースが大型化するため、間隔寸法Ｗ１は、1.10mm以下に設定することが好ましい。
すなわち、アンテナ１００とケース本体２１との間隔寸法Ｗ１は、外装ケース２０のサイズ（体積）による渦電流の影響と、ケース本体２１のサイズとを考慮して設定すればよい。
【００２９】
上述した本実施形態によれば、以下の効果を奏する。
（１）本実施形態によれば、外装ケース２０のケース本体２１および裏蓋２２を、Ｔｉや、ＳＵＳ３０４、ＳＵＳ３１６に比べて、比抵抗が高いJIS80種チタン合金で製造したので、渦電流による損失を軽減できる。このため、アンテナコア１１０をケース本体２１や裏蓋２２に近づけて配置しても受信感度を維持できるため、電子時計１の薄型化や小型化を実現できる。したがって、女性用の腕時計も容易に実現できる。
【００３０】
（２）ケース本体２１や裏蓋２２を、JIS80種チタン合金で製造したので、ケース本体２１や裏蓋２２を冷間鍛造で製造できる。このため、ケース本体２１や裏蓋２２の寸法精度を向上でき、モジュール１０をケース本体２１や裏蓋２２に近づけて配置しても必要最小限の隙間を確保できる。したがって、腕時計のような電子時計１においても、さらなる薄型化や小型化を実現できる。
【００３１】
（３）ケース本体２１や裏蓋２２を、JIS80種チタン合金で製造したので、ケース本体２１や裏蓋２２を冷間鍛造で製造できる。このため、JIS60種チタン合金を用いてケース本体２１や裏蓋２２を製造する場合に比べて、切削加工ではなく鍛造で製造できるため、生産性を向上できる。
【００３２】
［実施形態の変形例］
なお、本発明は前述の実施形態に限定されるものではなく、本発明の目的を達成できる範囲での変形、改良等は本発明に含まれるものである。
電子時計１としては、ケース本体２１をJIS80種チタン合金で製造し、裏蓋２２を純チタンやＳＵＳ３０４、ＳＵＳ３１６で製造したものでもよい。
また、電子時計１としては、裏蓋２２をJIS80種チタン合金で製造し、ケース本体２１を純チタンやＳＵＳ３０４、ＳＵＳ３１６で製造したものでもよい。
ケース本体２１および裏蓋２２の一方のみをJIS80種チタン合金で製造した場合も、ケース本体２１および裏蓋２２の両方を純チタンで形成した場合に比べて受信感度を向上できる。
【００３３】
図５は、ケース本体２１および裏蓋２２の材質の組み合わせと、３種類の標準電波を受信した際の受信感度との関係を示す実験データのグラフである。
比較例Ａは、図３で説明した比較例Ａであり、ケース本体２１および裏蓋２２をＴｉ（純チタン）で製造し、隙間寸法Ｈ２を0.68mm（間隔寸法Ｈ１は2.05mm）に設定した場合の実験データである。
実施例Ｂは、図３で説明した実施例Ｂであり、ケース本体２１および裏蓋２２をJIS80種チタン合金で製造し、隙間寸法Ｈ２を0.68mm（間隔寸法Ｈ１は2.05mm）に設定した場合の実験データである。
実施例Ｇは、ケース本体２１をJIS80種チタン合金で製造し、裏蓋２２をＴｉ（純チタン）で製造し、隙間寸法Ｈ２を0.68mm（間隔寸法Ｈ１は2.05mm）に設定した場合の実験データである。
実施例Ｈは、ケース本体２１をＴｉ（純チタン）で製造し、裏蓋２２をJIS80種チタン合金で製造し、隙間寸法Ｈ２を0.68mm（間隔寸法Ｈ１は2.05mm）に設定した場合の実験データである。
【００３４】
図５の実験結果では、標準電波１（ＤＣＦ７７）の場合、比較例Ａに対し、実施例Ｂは受信感度が約４％改善し、実際例Ｈは３％改善した。また、標準電波２（ＢＰＣ）の場合、比較例Ａに対し、実施例Ｂは受信感度が約６％改善し、実施例Ｇは１％改善し、実際例Ｈは１％改善した。さらに、標準電波３（ＪＪＹ６０）の場合、比較例Ａに対し、実施例Ｂは受信感度が約３％改善し、実施例Ｇは１％改善し、実際例Ｈは２％改善した。
すなわち、ケース本体２１および裏蓋２２の両方をJIS80種チタン合金で製造した実施例Ｂが最も受信感度を向上できた。また、裏蓋２２をJIS80種チタン合金で製造した実施例Ｈは、実施例Ｂよりは受信感度が低下したが、ケース本体２１をJIS80種チタン合金で製造した実施例Ｇに比べて受信感度を向上できた。実施例Ｇは、実施例Ｈよりは受信感度が低下したが、比較例Ａに比べて受信感度を向上できた。したがって、ケース本体２１および裏蓋２２の少なくとも一方をJIS80種チタン合金で製造すると、ケース本体２１および裏蓋２２をＴｉ（純チタン）で製造した場合に比べて、受信感度を向上できることを確認できた。また、ケース本体２１および裏蓋２２の少なくとも一方をJIS80種チタン合金で製造する場合、裏蓋２２をJIS80種チタン合金で製造したほうが、ケース本体２１をJIS80種チタン合金で製造するよりも受信感度を向上できた。
【００３５】
前記実施形態では、アンテナコア１１０は、直線状に形成されたコイル巻部１１１と、コイル巻部１１１の両端に円弧状に形成されたリード部１１２とを備える構成としたが、コイル巻部１１１およびリード部１１２が直線上に配置された構成としてもよい。特に、角型の外装ケースやバケット型の外装ケースの場合には、コイル巻部１１１およびリード部１１２が直線上に配置されたアンテナ１００を用いてもよい。
前記実施形態において、文字板１４の裏面にソーラーパネル４０が固定される例を示したが、これに限定されず、ソーラーパネル４０が設けられない構成などとしてもよい。
【００３６】
前記実施形態では、アンテナ１００を用いて通信する無線情報として、時刻情報を例示したがこれに限らない。例えば、電子時計１内にＩＣカード機能を内蔵させ、電車の定期券や各種プリペイドＩＣカードのような情報を送受信するために利用してもよい。例えば、外装ケース２０内にＩＣチップとアンテナ等を組み込み、ＩＣカードを用いた改札機や入退室管理機、各種の課金支払機等に腕時計を近接させて情報をやり取りしてもよい。この場合、別途、ＩＣカードを出し入れする必要がなく、電子時計１をはめた手を近付けるだけでよいため、操作性を非常に向上することができる。
従って、本発明の外装ケース２０に内蔵されるアンテナ１００としては、標準電波を受信する場合のような受信専用に用いるものでもよいし、非接触ＩＣを用いたタグのように、情報を送受信するために用いてもよいし、さらには送信専用に用いてもよく、これらは本発明を適用するアンテナ内蔵式の電子時計１の種類に応じて適宜選択すればよい。
【符号の説明】
【００３７】
１…電子時計、１０…モジュール（ムーブメント）、１４…文字板、２０…外装ケース、２１…ケース本体、２２…裏蓋、２３…ベゼル、２４…カバーガラス、２５…ダイヤルリング、４０…ソーラーパネル、１００…アンテナ、１１０…アンテナコア、１１１…コイル巻部、１１２…リード部、１２０…コイル。
【図１】
2017201296.tif 000003
【図２】
2017201296.tif 000004
【図３】
2017201296.tif 000005
【図４】
2017201296.tif 000006
【図５】
2017201296.tif 000007